(57)【要約】【課題】印刷対象の複数の画像を分割数が異なる複数の集約印刷で一括して印刷すること。【解決手段】表示部７に表示された部分集約設定画面で、ユーザは入力部５より印刷対象画像の任意の範囲の１枚或いは２枚以上の複数の画像で構成される組を複数選択し、各組毎に当該組に属する画像の１枚の用紙に印刷する際のレイアウトを任意に指定する。制御部１は前記指定されたレイアウトに従ってプリンタ制御部８を制御し、印刷対象画像をプリンタ１０により一括して印刷させるため、異なるレイアウトの集約印刷を複数組一度に行うことができる。【選択図】  図１
2005025512.tif 000002
【特許請求の範囲】
【請求項１】
連続する複数ページの印刷対象データのうち任意の連続するページを指定する指定手段と、
この指定手段で指定された連続するページの印刷対象データを１枚の用紙に印刷させると共に指定されなかったページの印刷対象データそれぞれをそれぞれ１枚の用紙に印刷させる印刷制御手段と、
を具備することを特徴とする印刷制御装置。
【請求項２】
前記指定手段は、連続するページの印刷対象データを１枚の用紙に印刷するページ数を示すレイアウト画像を複数表示するレイアウト画像表示手段と、このレイアウト画像表示手段によって表示された複数のレイアウト画像の中から任意の一つを選択指定するレイアウト画像選択手段と、
を備えることを特徴とする請求項１に記載の印刷制御装置。
【請求項３】
更に、前記連続する複数ページの印刷対象データのサムネイル画像を表示するサムネイル表示手段と、前記指定手段による前記任意の連続するページの指定を前記サムネイル表示手段によって表示されたサムネイル画像を指定して行うサムネイル画像指定手段と、
を備えることを特徴とする請求項１又は２に記載の印刷制御装置。
【請求項４】
連続する複数ページの印刷対象データの中から任意の１ページ以上の複数ページの印刷対象データを１組として複数組指定する指定手段と、
この指定手段で指定された各組の印刷対象データを各組毎に順次連続して印刷させる印刷制御手段と、
を具備することを特徴とする印刷制御装置。
【請求項５】
前記指定手段は、各組に対応する表示領域を表示する複数の領域表示手段と、この複数の領域表示手段に各組の印刷対象データのページを設定するページ設定手段と、
を具備することを特徴とする請求項４に記載の印刷制御装置。
【請求項６】
更に、前記連続する複数ページの印刷対象データのサムネイル画像を表示するサムネイル表示手段と、前記指定手段による各組の印刷対象データの指定を前記サムネイル表示手段によって表示されたサムネイル画像を指定して行うサムネイル画像指定手段と、
を備えることを特徴とする請求項４又は５に記載の印刷制御装置。
【請求項７】
コンピュータを、連続する複数ページの印刷対象データのうち任意の連続するページを指定する指定手段と、この指定手段で指定された連続するページの印刷対象データを１枚の用紙に印刷させると共に指定されなかったページの印刷対象データそれぞれをそれぞれ１枚の用紙に印刷させる印刷制御手段として機能させるための印刷制御プログラム。
【請求項８】
コンピュータを、連続する複数ページの印刷対象データの中から任意の１ページ以上の複数ページの印刷対象データを１組として複数組指定する指定手段と、この指定手段で指定された各組の印刷対象データを組毎に順次連続して印刷させる印刷制御手段として機能させるための印刷制御プログラム。
【発明の詳細な説明】
【０００１】
【発明の属する技術分野】
本発明は印刷制御装置及び印刷制御プログラムに関する。
【０００２】
【従来の技術】
従来の印刷装置は、複数枚の原稿から読み取った複数の画像を、所定のレイアウトで集約印刷する機能を有しているものがある。この集約印刷とは、例えば８枚の原稿から８枚の画像Ａ〜Ｈを図１３に示したように読み取った場合に、図１４に示したように、２枚の用紙１、２の各印刷領域を例えば４分割したレイアウトで、用紙１には画像Ａ〜Ｄを、用紙２には画像Ｅ〜Ｈをそれぞれに印刷して４枚分の画像を集約印刷する機能である。
【０００３】
このような集約印刷は更に使い勝手が進んで、上記のように画像を連続的に用紙上にレイアウトするばかりでなく、途中に別の画像を配置したり或いは、ブランクを配置する機能を持つものもある（例えば特許文献１参照）。
【０００４】
【特許文献１】
特開２００３−１１４５９号公報（第５頁、第３−４図）
【０００５】
【発明が解決しようとする課題】
しかし、上記の従来の印刷制御装置が有する集約印刷機能では、印刷対象の複数の画像の中の一部分の複数画像を任意のレイアウトで集約印刷指定することができないため、例えば１ページから３ページは１画像ずつ印刷し、４ページ目は４分割の集約印刷で４画像を１ページに印刷し、更に５ページ目は２画像を１ページに印刷する２分割の集約印刷で印刷するというような印刷動作を一括印刷で行うことは不可能で、通常印刷や複数の集約印刷の設定を複数回行ない、印刷後、ページを揃えなければならなかった。
【０００６】
また、上記の従来の印刷装置では、複数の画像の中から１ドキュメントとして使用する画像を用途数分指定し、指定する度に印刷しなければならず、複数の画像から複数組のドキュメントで使用する各画像を一括指定して、一度に印刷することができなかった。
【０００７】
本発明は、上述の如き従来の課題を解決するためになされたもので、その目的は、印刷対象の複数の画像を分割数が異なる複数種類の集約印刷で一括して印刷することができ、また、複数の画像の中から複数のドキュメントで使用するそれぞれの画像を一括指定した後、一度に複数セットのドキュメントの印刷を行うことができる印刷制御装置及び印刷制御プログラムを提供することである。
【０００８】
【課題を解決するための手段】
この発明の手段は以下の通りである。
【０００９】
請求項１の発明による印刷制御装置は、連続する複数ページの印刷対象データのうち任意の連続するページを指定する指定手段と、この指定手段で指定された連続するページの印刷対象データを１枚の用紙に印刷させると共に指定されなかったページの印刷対象データそれぞれをそれぞれ１枚の用紙に印刷させる印刷制御手段とを具備することを特徴とする。
【００１０】
上記発明によれば、複数ページからなる印刷対象データの中で、例えば、印刷用紙の１ページ目は１枚の用紙に１画像を印刷する指定をし、印刷用紙の２ページ目は１枚の用紙を４分割し、各分割部に１枚ずつ４画像を集約印刷する指定をし、印刷用紙の３ページ目は１枚の用紙を２分割し、各分割部に１枚ずつ２画像を集約印刷するといった指定を行ない、印刷装置によって指定した通りの印刷を一括して行わせることができる。
【００１１】
請求項４の発明による印刷制御装置は、連続する複数ページの印刷対象データの中から任意の１ページ以上の複数ページの印刷対象データを１組として複数組指定する指定手段と、この指定手段で指定された各組の印刷対象データを各組毎に順次連続して印刷させる印刷制御手段とを具備することを特徴とする。
【００１２】
上記発明によれば、複数の画像の中から、例えば１ページ目、２ページ目、３ページ目の画像を一組として指定し、２ページ目、３ページ目をもう一組として指定し、１ページ目と３ページ目を更に一組として一括指定すると、印刷装置により、１ページ〜３ページに前記１ページ目、２ページ目、３ページ目の画像が一組として印刷され、１ページ、２ページに前記２ページ目と３ページ目の画像がもう一組として印刷され、前記１ページ目と３ページ目の画像が更にもう一組として印刷させることが出来る。
【００１３】
【発明の実施の形態】
以下、本発明の実施の形態を図面に基づいて説明する。図１は、本発明の印刷制御装置の一実施の形態に係る構成を示したブロック図である。
【００１４】
印刷制御装置８０は、印刷に関わる各種制御を行う制御部（ＣＰＵ）１、各種データを記憶するＲＡＭ２、制御部１が実行する各種プログラム等を格納するＲＯＭ３、文字データや画像データ等の各種データを記憶する大容量のハードディスク（ＨＤＤ）４、キーボードやマウス等の入力部５、着脱可能な磁気ディスク５０にデータを書きこんだりデータを読み出したりする外部記憶制御部６、文字データや画像データ等を表示するＬＣＤ等の表示部７、印刷を行うプリンタ（印刷装置）１０の動作を制御するプリンタ制御部８等を備えている。また、印刷をＬＡＮなどのネットワーク２０に接続されたプリンタ１１で行う場合にプリンタ１１に対して印刷データや印刷制御信号を送信する通信制御部９を備えている。
【００１５】
尚、上記した印刷制御装置８０は、プリンタ１０と一体構成としてもよく、或いはパーソナルコンピュータに印刷プログラムを組込んで構成することも出来る。
【００１６】
図２（ａ）は磁気ディスク５０に入っている文書データの構造を示しており、図２（ｂ）はこの文書データを印刷する際にＲＡＭ２上に展開される印刷構造テーブル（印刷管理テーブル）の構造例を示した図である。
【００１７】
磁気ディスク５０に入っている文書データは一旦ＲＡＭ２上に読み込まれて図２（ａ）と同様に展開される。図２（ａ）において、トップの領域３０には文書の書式等の制御データが記憶されている。領域３０以降には、印刷対象データである各ページの文書データＡ、Ｂ、Ｃ、…が順番に格納されている。各データＡ、Ｂ、Ｃ、…と同じ領域に記載されている数字はページ番号を示している。従って、１ページには文書データＡが、２ページには文書データＢが格納されている。
【００１８】
図２（ｂ）の印刷管理テーブルは、図２（ａ）に示した文書データＡ、Ｂ、Ｃ、…を印刷する際の各ページの構成を管理するものでＲＡＭ２上に作成されるものである。この印刷管理テーブルは複数のブロック４０、４１、４２、・・・から構成され、各ブロックがそれぞれ１ページに対応するブロックとされており、各ブロックがそれぞれ３領域ａ、ｂ、ｃに区分されている。各ブロックにおいて最初の領域ａは印刷される用紙の印刷ページ番号データを記憶する領域であり、２番目の領域ｂが印刷の種類データを記憶する領域で、更に、３番目の領域ｃが印刷対象となる元のページデータ（文書データＡ、Ｂ、Ｃ、…のページ番号）を記憶する領域となっている。
【００１９】
ここで、２番目の領域ｂには、２個の印刷の種類データｂ０及びｂ１が記憶できるようになっており、最初の印刷の種類データｂ０としては、「０（通常印刷）」又は「１（集約印刷）」が記憶され、この種類データｂ０が「１」の集約印刷（後述する部分集約も含む）の場合にはもう一つの種類データｂ１が記憶される。この種類データｂ１は、「１」の時に２ページ分の文書データを１ページ（１枚の用紙）に集約印刷することを指定し、「２」の時には４ページ分の文書データを１ページに集約印刷することを指定するデータである。また、「３」の時は４ページ分の文書データを１ページに集約印刷するが、その際、印刷する順番を「２」の時とは異なった順序にすることを指定するデータである。尚、２番目の領域ｂに集約印刷を指定する種類データ「１」が記憶された場合には、３番目の領域ｃには、集約印刷の対象となる文書データＡ、Ｂ、Ｃ、…の複数のページ番号データ（元のページデータ）が記憶されることとなる。
【００２０】
従って、図２（ｂ）においては、最初のブロック４０は印刷される用紙のページ番号が第１ページで、印刷の種類は通常印刷で、印刷する元のページデータが第１ページであるから図２（ａ）の文書データＡが領域ａのページ番号「１」と共に印刷されることになる。また、図２（ｂ）の２番目のブロック４１は印刷される用紙のページ番号が第２ページで、印刷の種類データは「１」の集約印刷で、且つ集約印刷の種類データは「１」の２ページ分の集約印刷であり、印刷する元のページデータが第２ページ目と第３ページ目であるから図２（ａ）の文書データＢとＣとが第２ページとして印刷されることになる。
【００２１】
次に、上記の実施の形態の動作について説明する。図２（ａ）に示した文書データが記憶されている図１の磁気デイスク５０を外部記憶制御部６に装着し、入力部５を操作してＲＡＭ２上に文書データを読み出して展開すると、図３に示すように表示部７に読み出した文章データが表示される。図３に表示されている文書データａｂｃｄｅｆｇ・・・は、図２（ａ）の第１ページに記憶されている文書データＡの内容であって、入力部５のマウスなどを用いて表示部７の画面側方に表示されているスクロールバー７Ａを下方に移動させると、表示がスクロールして第２ページ以降の文書データＢ、Ｃ、…が表示される。
【００２２】
この文書データＡ、Ｂ、Ｃ、…を印刷したい場合、ユーザは表示部７の画面上部に表示されているツールバーの印刷ボタン７Ｂを、マウス及びマウスによって移動されるカーソル表示体（図示せず）を用いてクリックすると、図４に示すような印刷設定画面が表示される。
【００２３】
この図４の印刷設定画面が表示された状態で、図６以降のフローチャートを実行することによりユーザの所望の印刷がなされるもので、まず、図６のステップＳ１では、図４の印刷設定画面で印刷の詳細な内容を設定する。まず、表示枠７Ｃには、既に選択設定されているプリンタ名が表示されるので、これを確認し、もし、他のプリンタを使用したい場合にはそのプリンタのプリンタ名を入力部５の図示しない操作キーを操作して表示部７Ｃに設定する。次に、表示枠７Ｄにおいて、印刷範囲（印刷の種類）を設定する。例えば、図２（ｂ）に示した文書データＡ、Ｂ、Ｃ、・・・をそのままページに合わせて印刷したいのであれば全ページを選択する。即ち、全ページの文字の横のチェックボックスＣＢにチェックマーク（黒丸表示）を入れる。また、１ページ毎に予め定められた複数のページ数の文書データを印刷する場合には集約を選択する。部分集約印刷を行いたい場合、即ち、例えば、特定のページの用紙にのみ集約印刷を行う場合には画面上の部分集約を選択する。更に、図２（ｂ）に示した文書データＡ、Ｂ、Ｃ、・・・をそれぞれ任意の組み合わせで順次印刷したい場合には分割編集を選択する。この分割編集に関しては詳細を後述する。その後、この印刷設定画面の下部に表示されたツールバーの詳細設定ボタン７Ｅをクリックすると、図６のステップＳ１からステップＳ２に進む。
【００２４】
ステップＳ２では、上記ステップＳ１で設定された印刷の種類が部分集約かどうかを判断し、部分集約である場合はステップＳ３に進む。このステップＳ３ではＲＡＭ２上に読み込んだ文書データの印刷管理データをＲＡＭ２上に作成する。即ち、図２（ｂ）の各ブロック４０、４１、４２・・・の領域ａには、それぞれ印刷すべき用紙毎のページ番号１、２、３・・・を順次記憶させ、領域ｂにはそれぞれ「０」を記憶させ、領域ｃには、図２（ａ）の文書データのページ番号１、２、３・・・をそれぞれ設定する。このステップＳ３の後はステップＳ４に進み、このステップＳ４では図５に示す部分集約の詳細設定画面が表示部７に表示される。
【００２５】
図５の部分集約の詳細設定画面では、図２（ａ）の文書データＡ、Ｂ、Ｃ・・・のサムネイル画像７Ｆ１、７Ｆ２、７Ｆ３・・・が表示される。また、文書データＡ、Ｂ、Ｃに続く文書データＤ、Ｅ・・・のサムネイル画像は、スクロールバー７Ｇを下方にシフトさせることによって順次表示可能である。表示部７の画面中央には、集約印刷の種類に応じた画像データが表示されるもので、即ち、画像７Ｈは、１ページ分の文書データをそのまま１枚の用紙に印刷することを示すレイアウト画像であり、画像７Ｉは、２ページ分の文書データを１ページ（１枚の用紙）に集約印刷することを示すレイアウト画像、画像７Ｊは、４ページの文書データを１ページ（１枚の用紙）に集約印刷することを示すレイアウト画像、画像７Ｋは、４ページの文書データを画像７Ｊの場合とは順序を変えて１ページ（１枚の用紙）に集約印刷することを示すレイアウト画像である。また、各画像７Ｈ乃至７Ｋの横には、選択用のチェックボックスＣＢが設けられている。
【００２６】
図７は、図６のステップＳ４の部分集約設定画面が表示された後において、部分集約の設定を行う際のフローチャートである。まず、ステップＳ２１で文書データＡ、Ｂ、…、のサムネイル画像７Ｆ１、７Ｆ２、・・・のうちの一つのサムネイルを入力（クリック）し、例えばクリックされたサムネイル画像の表示状態を変化させて他のサムネイル画像と区別して表示させ、次のステップＳ２２で上記した画像７Ｈ乃至７Ｋのいずれかを選択するためにチェックボックスの入力処理（黒丸表示）を行い、決定釦７Ｌをクリックする。
【００２７】
決定釦７Ｌがクリックされると、次のステップＳ２３では選択された印刷の種類データの設定、即ち、図２（ｂ）の領域ｂの印刷の種類データｂ０の設定を行う。この場合、選択された画像が画像７Ｈの場合にはｂ０に「０」、画像７Ｉ乃至７Ｋのいずれかが選択された場合には「１」を設定する。その後、ステップＳ２４では、選択された画像が画像７Ｈの場合には何もおこなわずにステップＳ２５に進むが、画像７Ｉ乃至７Ｋのいずれかが選択された場合には選択された集約の種類に応じて集約の種類データｂ１を設定した後ステップＳ２５に進む。集約の種類データｂ１の設定は、画像７Ｉが設定された場合には「１」、画像７Ｊが設定された場合には「２」、画像７Ｋが設定された場合には「３」が設定される。
【００２８】
ステップＳ２５では、図２（ｂ）の領域ｃの元のページデータの入れ替えの必要があるか否かを判断する。ステップＳ２３で画像７Ｈが選択された場合には、１ページの文書データをそのまま１ページ（１枚の用紙）に印刷するのでページデータの入れ替えの必要はなく、このままフローを終了するが、画像７Ｉ乃至７Ｋのいずれかが選択された場合にはステップ２６に進みページデータの入れ替えを行う。即ち、画像７Ｉが選択された場合には、図２（ｂ）の印刷管理テーブルの該当するブロックの領域ｃに次のブロックの領域ｃのページ番号を追加記憶させ、それ以下のブロックは領域ｃのページ番号を順次上のブロックにシフト移動させる。
【００２９】
また、画像７Ｊ或いは７Ｋが選択された場合には、図２（ｂ）の印刷管理テーブルの該当するブロックの領域ｃに次の３つのブロックの領域ｃのページ番号を追加記憶させ、４番目以降のブロックの領域ｃのページ番号を順次３ブロック上の領域ｃにシフト移動させるものである。尚、画像７Ｊと７Ｋとは、集約される各ページの印刷位置が異なるので、それぞれの印刷位置に合わせた順序でページ番号が記憶されるようにする。このようにして、全文書データに対して図７のフローチャートに従った設定を行い、図示しない印刷実行キーを操作すると設定された印刷管理テーブルに従った印刷がなされる。
【００３０】
ここで、部分集約の具体例として、ユーザが、例えば図８に示すように、元の第１ページの文書データＡを用紙の１枚目（１ページ目）に印刷し、元の第２、第３ページの文書データＢ、Ｃを用紙の２枚目（２ページ目）に集約印刷し、元の第４ページの文書データＤを、用紙の３枚目（３ページ目）に印刷する場合の設定について以下に説明する。まず、図５の画面左側のサムネイル画像７Ｆ１をクリックし（ステップＳ２１）、画面中央の画像７Ｈのチェックボックスに入力処理を行い、決定キー７Ｌをクリック操作する（ステップＳ２３）。この操作において、集約印刷の入力ではないのでステップＳ２４では何ら処理が行われず、また、ページの入れ替えを必要としないことがステップＳ２５で判断されるのでこのままフローが終了する。
【００３１】
次に、図５の画面左側のサムネイル画像７Ｆ２をクリックし（ステップＳ２１）、画面中央の画像７Ｉのチェックボックスに入力処理を行い、決定キー７Ｌをクリック操作する（ステップＳ２３）。すると次のステップＳ２４では、印刷の種類データｂ０に「１」が設定され、また、集約の種類データｂ１にも「１」が設定される。即ち、２枚目（２ページ目）の印刷内容を管理する図２（ｂ）のブロック４１においては、領域ｂに「１」「１」が記憶される。次のステップＳ２５では、ページの入れ替が必要であることが検出され、ブロック４１の領域ｃに、それまで記憶されていた「２（元の文書の第２ページ）」に加えて「３（元の文書の第３ページ）」が記憶され、更に、ブロック４２以下のブロックの領域ｃに記憶されている元の文書のページデータがそれぞれブロックにシフト移動されるものである。文書データＤの場合は、文書データＡと同様に画像７Ｈが選択され集約印刷ではないのでステップＳ２４では何も行われずフローが終了する。
【００３２】
尚、文書データＡやＤの様に、元の文書データを集約せずのそのまま印刷させる場合には、サムネイル画像による設定を行わず、集約印刷する画像に対してだけ設定させるようにすることも出来る。
【００３３】
このような設定がなされた後、ユーザが入力部５から印刷の実行操作を行うと、制御部１はＲＡＭ２上の図２（ｂ）に示した印刷管理テーブルのデータに従ってプリンタ制御部８を制御することにより、プリンタ１０から図８に示したような印刷物を出力する。このとき、印刷された用紙の１ページ目、２ページ目、３ページ目には、それぞれ領域ａのページデータ「１」、「２」、「３」もそれぞれ印刷される。
【００３４】
図６に戻り、ステップＳ１の詳細設定入力が部分集約でないことがステップＳ２で検出されるとステップＳ３に進む。ステップＳ３では、ステップＳ１の詳細設定入力が分割編集であったか否かが判断され、分割編集であった場合にはステップＳ６の分割編集設定画面表示へと進む。
【００３５】
図９は、表示部７に表示されるステップＳ６の分割編集設定画面を示している。
この図９において、枠状のボックス７Ｍ、７Ｎ、７Ｐ及び７Ｑは、後述する如く設定されたそれぞれ１組となる元の文書データＡ、Ｂ、Ｃ・・・のページ番号データを表示する領域である。
【００３６】
図１０は、図６のステップＳ６の分割編集設定画面が表示された後、分割編集を設定する際のフローチャートである。まず、ステップＳ３１で、上記した分割編集設定画面のボックス７Ｍ、７Ｎ、７Ｐ及び７Ｑの横に設けられたチェックボックスのいずれか一つ、例えばボックス７Ｍのチェックボックスをクリックしてチェックデータを入力する。次にステップＳ３２で、サムネイル画像７Ｆ１、７Ｆ２、７Ｆ３、・・・・のうち、１組として印刷したい文書データのサムネイル画像を順次クリックしていく。サムネイル画像がクリックされる毎にクリックされたサムネイル画像のページデータがボックス７Ｍに順次表示され１組のページデータの設定を終える。次の組の文書データの設定は、ボックス７Ｎのチェックボックスをクリックしてチェックデータを入力後、サムネイル画像をクリックして同様の設定を行う。  ここで、上記ステップＳ３１の処理に対応するユーザの図９に示した設定画面を用いた分割編集印刷の詳細設定を具体的に説明する。ユーザが、例えば図１１に示すように、まず最初の１組のドキュメントとして３枚の用紙の１、２、３ページ夫々に文書データＡ、Ｂ、Ｃを印刷し、次の組のドキュメントとして２枚の用紙の１、２ページ夫々に文書データＢ、Ｃを印刷し、最後のドキュメントとして２枚の用紙の１、２ページ夫々に文書データＡ、Ｃを印刷したい場合について、以下、説明する。
【００３７】
まず、図９の画面中央の一番上のボックス７Ｍのチェックボックスをチェックした後、このドキュメントで印刷したい画面左側のサムネイル画像７Ｆ１、７Ｆ２、７Ｆ３をこの順番でクリックする。これにより、ボックス７Ｍには文書データＡ、Ｂ、Ｃの元のページ番号データ１、２、３が入力される。
【００３８】
次にボックス７Ｎのチェックボックスをチェックした後、サムネイル画像７Ｆ２、７Ｆ３をこの順番でクリックする。これにより、ボックス７Ｎには文書データＢ、Ｃの元のページ番号データ２、３が入力される。更に、ボックス７Ｐのチェックボックスをチェックした後、サムネイル画像７Ｆ１、７Ｆ３をこの順番でクリックする。これにより、ボックス７Ｐには文書データＡ、Ｃの元のページ番号データ１、３が入力される。
【００３９】
図１２は、上記設定を行った際のＲＡＭ２上に作成された印刷管理テーブルを示すものである。この印刷管理テーブルでは、最初のブロック４０には用紙の１ページに通常印刷で元の文書データの１ページ目（文書データＡ）を印刷することが設定され、次のブロック４１に、用紙の２ページに通常印刷で元の文書データの２ページ目（文書データＢ）を印刷することが設定される。更に３番目のブロック４２では、用紙の３ページに通常印刷で元の３ページ目（文書データＣ）を印刷することが設定される。
【００４０】
次の４番目のブロック４３には、１ページに通常印刷で元の２ページ目（文書データＢ）を印刷することが設定され、５番目のブロック４４には、２ページに通常印刷で元の画像の３ページ目（文書データＣ）を印刷することが設定される。このような印刷管理テーブルが設定された後、ユーザが入力部５から図示しない印刷の実行操作を行うと、制御部１はＲＡＭ２上の印刷管理テーブルのブロック４０、４１、４２、・・・に設定されたデータに従って順次プリンタ制御部８を制御することにより、プリンタ１０から図１１に示したような文書データが領域ａのページ番号と共に印刷される。
【００４１】
図６のフローチャートに戻って、ステップＳ５で分割編集印刷でないと判断された場合、ステップＳ７に進んで、通常の集約印刷であるかどうかを判断し、集約印刷の場合はステップＳ８に進む。このステップＳ８では、ステップＳ３と同様の印刷管理データを作成した後、ステップＳ９で、表示部７に図５の画像７Ｈ乃至７Ｋ及び画像７Ｈ乃至７Ｋに対応するチェックボックスを表示させる。
【００４２】
その後、ユーザにより集約印刷の枚数（１枚あたりに印刷するページ数）をチェックボックスで選択し、それに対応する集約管理構造テーブルを作成し、このテーブルに基づいて集約印刷を行う。
【００４３】
図６のステップＳ７で通常の集約印刷でないと判断された場合は、全ページ印刷であるとしてステップＳ１０に進み、ステップＳ３と同様の印刷管理テーブルを作成した後、ステップＳ１１で表示部７に全ページ印刷であることを報知する画面を表示する。
【００４４】
その後、ユーザによる印刷操作を受けて全ページ印刷を行う。尚、通常の集約印刷と全ページ印刷は従来行われているので、その詳細な説明は省略する。
【００４５】
上述した如く、本実施の形態によれば、図５に示すような集約印刷設定画面によって、複数の印刷データの中の任意のページ数のみ集約印刷の指定が出来る。また、図９に示すように、複数の印刷データの中から、同じ印刷データを用いて選択的に複数組の印刷ドキュメントを一括指定出来るので、一度に複数組のドキュメントの印刷を行うことができる。
【００４６】
尚、上記実施の形態では、部分集約印刷する例として、図８に示す例を挙げたが、図５の部分集約設定画面で、用紙の１ページに文書データＡ、Ｂを集約印刷するように設定し、用紙の２ページに文書データＣ、Ｄ、Ｅ、Ｆを集約印刷するように設定すれば、異なるレイアウトの集約印刷を一度に行うことができることはいうまでもない。
【００４７】
また、本発明は上記実施の形態に限定されることなく、その要旨を逸脱しない範囲において他の種々の形態によっても実施することができるもので、例えば、印刷する文書データは磁気デイスク５０から読み込んでいるが、ユーザ自身が作成したものであってもよく、或いは、印刷対象データは文書データでなくスキャナーなどで光学的に読み取った画像データであってもよい。
【００４８】
【発明の効果】
以上詳細に説明したように、請求項１に記載の発明によれば、複数の印刷対象データを分割数が異なる複数の集約印刷で一括して印刷することができる。また、請求項４に記載の発明によれば、複数の印刷対象データの中から複数組で使用するそれぞれの印刷対象データを一括指定して、一度に複数組の印刷を一括して行うことができる。
【図面の簡単な説明】
【図１】本発明の印刷制御装置の一実施の形態に係る構成を示したブロック図である。
【図２】印刷対象文書データの構造例とこの文書データに基づいた印刷時の印刷管理テーブル例を示した図である。
【図３】図１に示した表示部７に表示された文書画面例を示した図である。
【図４】図１に示した表示部７に表示された印刷設定画面例を示した図である。
【図５】図１に示した表示部７に表示された集約印刷設定画面例を示した図である。
【図６】図１に示した制御部による印刷制御処理手順を示したフローチャートである。
【図７】部分集約印刷の設定手順を示したフローチャートである。
【図８】図１のプリンタで集約印刷した際の各用紙に印刷されるの画像の配置例を説明する図である。
【図９】分割編集印刷の設定画面例を示した図である。
【図１０】分割編集印刷の設定手順を示したフローチャートである。
【図１１】図１のプリンタで分割編集印刷した際の各ドキュメント毎の画像例を説明する図である。
【図１２】分割編集印刷時の印刷管理テーブル例を示した図である。
【図１３】従来の印刷対象画像データ例を示した図である。
【図１４】従来の方法で集約印刷した際の各用紙に印刷されるの画像の配置例を説明する図である。
【符号の説明】
１  制御部（ＣＰＵ）
２  ＲＡＭ
３  ＲＯＭ
４  ハードディスク（ＨＤＤ）
５  入力部
６  外部記憶制御部
７  表示部
８  プリンタ制御部
９  通信制御部
１０、１１  プリンタ
２０  ネットワーク
５０  磁気ディスク
８０  印刷制御装置
【図１】
2005025512.tif 000003
【図２】
2005025512.tif 000004
【図３】
2005025512.tif 000005
【図４】
2005025512.tif 000006
【図５】
2005025512.tif 000007
【図６】
2005025512.tif 000008
【図７】
2005025512.tif 000009
【図８】
2005025512.tif 000010
【図９】
2005025512.tif 000011
【図１０】
2005025512.tif 000012
【図１１】
2005025512.tif 000013
【図１２】
2005025512.tif 000014
【図１３】
2005025512.tif 000015
【図１４】
2005025512.tif 000016